(57)【要約】  空気の清浄と調和のどちらかを優先して運転できるようにする。第１吸込み口（１１）に第１フィルタ（１５）が設けられ、第２吸込み口（１２）に、通風抵抗が第１フィルタ（１５）よりも大きい第２フィルタ（１６）が設けられ、第１吸込み口（１１）の開閉蓋（１８）を空調モードでは開状態とし、空気清浄モードでは閉状態とする開閉部材制御部を備える。
2019043985.tif 000002
【特許請求の範囲】
【請求項１】
運転モードとして、空気の温度を設定温度にする空調モード、および空気を浄化する空気清浄モードによる動作を行う空気調和機であって、
室内機に、
空気の第１および第２吸込み口と、
空気の吹出し口と、
前記第１吸込み口から吸い込まれた空気の流路に設けられた第１フィルタと、
前記第２吸込み口から吸い込まれた空気の流路に設けられ、通風抵抗が前記第１フィルタよりも大きい第２フィルタと、
前記第１吸込み口を開閉する開閉部材と、
前記開閉部材の駆動部と、
前記空調モードでは前記開閉部材を開状態とし、前記空気清浄モードでは前記開閉部材を閉状態とするように、前記駆動部を制御する開閉部材制御部とを備えていることを特徴とする空気調和機。
【請求項２】
室内機全体としての、前記第２フィルタが設けられている前記第２吸込み口の開口面積は、前記第１フィルタが設けられている前記第１吸込み口の開口面積よりも大きくなっていることを特徴とする請求項１に記載の空気調和機。
【請求項３】
前記空調モードによる空調領域の空気の温度を検出する温度センサと、
前記空調領域の設定温度を記憶する記憶部と、
前記運転モードが前記空調モードであり、前記温度センサによる検出温度が前記設定温度に到達した場合に、前記運転モードを前記空調モードから前記空気清浄モードに切り替える運転制御部とを備えていることを特徴とする請求項１または２に記載の空気調和機。
【請求項４】
前記運転制御部は、前記運転モードを前記空調モードから前記空気清浄モードに切り替えた後に、前記温度センサによる検出温度が前記設定温度から所定温度以上乖離した場合に、前記運転モードを前記空調モードに戻すことを特徴とする請求項３に記載の空気調和機。
【請求項５】
前記空調モードによる空調領域の空気の清浄状態を検出する清浄状態センサと、
前記運転モードが前記空調モードであり、前記清浄状態センサが検出する前記清浄状態が基準未満である場合に、前記運転モードを前記空調モードから前記空気清浄モードに切り替える運転制御部を備えていることを特徴とする請求項１から３のいずれか１項に記載の空気調和機。
【請求項６】
前記空調モードによる空調領域の空気の温度を検出する温度センサと、
前記空調領域の設定温度を記憶する記憶部と、
前記空調領域の空気の清浄状態を検出する清浄状態センサと、
前記運転モードが前記空調モードであり、前記温度センサによる検出温度が前記設定温度に到達し、かつ前記清浄状態センサが検出する前記清浄状態が基準未満である場合に、前記運転モードを前記空調モードから前記空気清浄モードに切り替える運転制御部を備えていることを特徴とする請求項１から３のいずれか１項に記載の空気調和機。
【請求項７】
前記運転制御部は、前記運転モードを前記空調モードから前記空気清浄モードに切り替えた後に、前記清浄状態センサが検出する前記清浄状態が基準以上となった場合に、前記運転モードを前記空調モードに戻すことを特徴とする請求項５または６に記載の空気調和機。
【発明の詳細な説明】
【技術分野】
【０００１】
本発明は、空気清浄機能を備えた空気調和機に関する。
【背景技術】
【０００２】
従来の空気調和機には、空気清浄機能を得るため、空気の吸込み口に、ＨＥＰＡフィルタ(High Efficiency Particulate Air Filter)等の集塵フィルタを備えたものが知られている。ＨＥＰＡフィルタは、集塵機能が高い分、プレフィルタよりも通風抵抗が大きくなる。このため、空気調和機は、集塵機能を高めると、通風量が少なくなる。【０００３】
そこで、例えば特許文献１に開示されている空気調和機では、集塵機能と通風量とを両立できるようにした構成を提案している。具体的には、上記空気調和機では、吸込み口の長さをＬとすると、吸込み口に配置した集塵フィルタは、吸込み口の吹出し口寄り（吸込み口下部）を吸込み口長さＬの５％以上開け、集塵フィルタの長さを吸込み口長さＬの４割から８割程度の長さとしている。
【先行技術文献】
【特許文献】
【０００４】
【特許文献１】日本国公開特許公報「特開２０００−２０５６４３号公報」
【発明の概要】
【発明が解決しようとする課題】
【０００５】
しかしながら、空気調和機に対して、空気清浄機能よりも空気調和機能を優先し、例えば夏場では高温になった部屋を帰宅して直ぐに冷やしたい、あるいは冬場では低温になった部屋を帰宅して直ぐ温めたいという要求がある。このような要求に対し、上記従来の空気調和機は対応することができない。【０００６】
また、これとは逆に、部屋が埃っぽい場合など、空気調和機に対して、空気調和機能よりも空気清浄機能を優先して運転したいという要求がある。このような要求に対しても、上記従来の空気調和機は対応することができない。【０００７】
したがって、本発明の一態様は、空気清浄機能と空気調和機能とのいずれか一方を優先して運転することができる空気調和機の提供を目的としている。
【課題を解決するための手段】
【０００８】
上記の課題を解決するために、本発明の一態様に係る空気調和機は、運転モードとして、空気の温度を設定温度にする空調モード、および空気を浄化する空気清浄モードによる動作を行う空気調和機であって、室内機に、空気の第１および第２吸込み口と、空気の吹出し口と、前記第１吸込み口から吸い込まれた空気の流路に設けられた第１フィルタと、前記第２吸込み口から吸い込まれた空気の流路に設けられ、通風抵抗が前記第１フィルタよりも大きい第２フィルタと、前記第１吸込み口を開閉する開閉部材と、前記開閉部材の駆動部と、前記空調モードでは前記開閉部材を開状態とし、前記空気清浄モードでは前記開閉部材を閉状態とするように、前記駆動部を制御する開閉部材制御部とを備えている。
【発明の効果】
【０００９】
本発明の一態様によれば、空気清浄機能と空気調和機能とのいずれか一方を優先して運転することができるという効果を奏する。
【図面の簡単な説明】
【００１０】
【図１】本発明の実施形態の空気調和機の室内機の外観を示す斜視図である。
【図２】図１に示した室内機の縦断面図である。
【図３】図３の（ａ）は、本実施形態の空気調和機が停止状態である場合の開閉蓋および導風板の状態を説明する概略の側面図、図３の（ｂ）は、上記空気調和機が空調モードかつ冷房設定の場合の開閉蓋および導風板の状態を説明する概略の側面図、図３の（ｃ）は、上記空気調和機が空調モードかつ暖房設定の場合の開閉蓋および導風板の状態を説明する概略の側面図である。
【図４】図４の（ａ）は、上記空気調和機が空気清浄モードかつ冷房設定の場合の開閉蓋および導風板の状態を説明する概略の縦断面図、図４の（ｂ）は、上記空気調和機が空気清浄モードかつ暖房設定の場合の開閉蓋および導風板の状態を説明する概略の縦断面図である。
【図５】本発明の実施形態の空気調和機の制御装置の構成を示すブロック図である。
【図６】図５に示した空気調和機の動作を示すフローチャートである。
【図７】図７の（ａ）は本発明の他の実施形態の空気調和機の室内機の空調モードにおける状態を説明する概略の正面図、図７の（ｂ）は図７の（ａ）に示した室内機の空気清浄モードにおける状態を説明する概略の正面図である。
【図８】図８の（ａ）は本発明のさらに他の実施形態の空気調和機の室内機の空調モードにおける状態を説明する概略の正面図、図８の（ｂ）は図８の（ａ）に示した室内機の空気清浄モードにおける状態を説明する概略の正面図である。
【図９】本発明のさらに他の実施形態の空気調和機の室内機の空調モードにおける状態を説明する概略の正面図である。
【図１０】本発明のさらに他の実施形態の空気調和機の制御装置の構成を示すブロック図である。
【図１１】図１０に示した空気調和機の動作を示すフローチャートである。
【図１２】本発明のさらに他の実施形態の空気調和機の動作を示すフローチャートである。
【図１３】本発明のさらに他の実施形態の空気調和機の動作を示すフローチャートである。
【発明を実施するための形態】
【００１１】
〔実施形態１〕
本発明の実施の形態を図面に基づいて以下に説明する。図１は、本実施形態の空気調和機の室内機１の外観を示す斜視図である。図２は、図１に示した空気調和機の室内機１の縦断面図である。
【００１２】
（室内機１の概要）
図１に示すように、空気調和機の室内機１は、室内機本体部２の前面に導風板３を備えている。室内機本体部２は、図２に示すように、上部に第１吸込み口１１を有し、下部に第２吸込み口１２を有し、内部に送風ファン１３および熱交換器１４を有し、前部に吹出し口１７を有している。
【００１３】
また、室内機１は、第１吸込み口１１の内側（下側）に第１フィルタ１５を有し、第２吸込み口１２の内側（上側）に第２フィルタ１６を有している。第１フィルタ１５は、例えばプレフィルタに相当する機能を有するフィルタであり、第２フィルタ１６よりも低性能であり、第２フィルタ１６よりも通風抵抗が小さいフィルタである。第２フィルタ１６は、例えばＨＥＰＡフィルタ(High Efficiency Particulate Air Filter)であり、第１フィルタ１５よりも高性能であり、第１フィルタ１５よりも通風抵抗が大きいフィルタである。
【００１４】
室内機１では、第１吸込み口１１から吸い込まれた空気は、第１フィルタ１５、送風ファン１３および熱交換器１４を経て吹出し口１７から吹き出される。また、第２吸込み口１２から吸い込まれた空気は、第２フィルタ１６、送風ファン１３および熱交換器１４を経て吹出し口１７から吹き出される。
【００１５】
第１吸込み口１１には、第１吸込み口１１を開閉する開閉蓋１８が設けられている。開閉蓋１８は蓋駆動モータ３３（図５参照）に駆動されて第１吸込み口１１の開閉動作を行う。
【００１６】
（空調モード、空気清浄モード）
本実施形態の空気調和機は、運転モードとして、空調モードまたは空気清浄モードを選択することができる。空調モードは、空気清浄動作よりも空調動作（冷房や暖房）を優先するモードである。空気清浄モードは、空調動作よりも空気清浄動作を優先するモードである。
【００１７】
図３の（ａ）から図３の（ｃ）および図４の（ａ）から図４の（ｂ）は、各運転モードと開閉蓋１８および導風板３の状態とを示す室内機１の側面図である。具体的には、図３の（ａ）は、空気調和機が停止状態である場合の開閉蓋１８および導風板３の状態を説明する概略の側面図、図３の（ｂ）は、空気調和機が空調モードかつ冷房設定の場合の開閉蓋１８および導風板３の状態を説明する概略の側面図、図３の（ｃ）は、空気調和機が空調モードかつ暖房設定の場合の開閉蓋１８および導風板３の状態を説明する概略の側面図、図４の（ａ）は、空気調和機が空気清浄モードかつ冷房設定の場合の開閉蓋１８および導風板３の状態を説明する概略の側面図、図４の（ｂ）は、空気調和機が空気清浄モードかつ暖房設定の場合の開閉蓋１８および導風板３の状態を説明する概略の縦断面図である。
【００１８】
なお、図３および図４では、簡略化のため、図２に示した送風ファン１３および熱交換器１４の記載を省略している。また、図３において、実線の矢印にて示した空気の流れは空気の流量を多い状態を示し、破線の矢印にて示した空気の流れは空気の流量が少ない状態を示している。
【００１９】
上記のように、室内機１は、空調モードでは、通風抵抗小の第１フィルタ１５が設けられている第１吸込み口１１の開閉蓋１８が開き、空気清浄モードでは、開閉蓋１８が閉じるようになっている。
【００２０】
（空気調和機の制御装置）
図５は、本実施形態の空気調和機の制御装置の構成を示すブロック図である。図５に示すように、空気調和機の制御装置は、例えばマイクロコンピュータからなる制御部（開閉部材制御部、運転制御部）３１および記憶部３８を備えている。制御部３１には受信部３６が接続され、受信部３６は、ユーザが操作するリモートコントローラ（以下、単にリモコンと称する）３７からの指令を受信する。リモコン３７では、空気調和機に対して空調モードまたは空気清浄モードの設定が可能である。
【００２１】
制御部３１は、リモコン３７からの指令に応じて、空調部３２、蓋駆動モータ（駆動部）３３、導風板駆動モータ３４および送風機モータ３５の動作を制御する。
【００２２】
空調部３２は、冷凍サイクルを実行する部分であり、蒸発器、凝縮機および圧縮機等、冷凍サイクルを実行するための構成を有する。空調部３２は、室内機１および室外機４に亘って構成されている。
【００２３】
蓋駆動モータ３３は、開閉蓋１８を駆動して開閉動作を行わせる。導風板駆動モータ３４は、例えば暖房や冷房の設定に応じて、導風板３をそれぞれの位置に配置されるように駆動する。送風機モータ３５は、送風ファン１３を回転させる。
【００２４】
記憶部３８は、制御部３１の制御により、運転停止直前の運転モード（空調モードまたは空気清浄モード）や温度設定、あるいはリモコン３７によって設定された運転モードや設定温度を記憶する。
【００２５】
（空気調和機の動作）
上記の構成において、本実施形態の空気調和機の動作について以下に説明する。図６は、室内機１を備えた空気調和機の動作を示すフローチャートである。
【００２６】
図６に示すように、空気調和機は、リモコン３７から運転の開始を指令されると、制御部３１の制御により運転を開始する。制御部３１は、運転モードおよび設定温度を確認し（Ｓ１１）、各部の動作を制御する。
【００２７】
具体的には、制御部３１は、運転停止直前の運転モード（空調モードまたは空気清浄モード）や温度設定を記憶部３８に記憶させている。したがって、制御部３１は、リモコン３７から運転モードの変更や温度設定の変更が指令されなければ、記憶部３８が記憶している運転モードや温度設定に基づいて運転を開始する。一方、リモコン３７から運転モードの変更や温度設定の変更が指令さると、その変更内容に従って運転を開始する。リモコン３７により設定された運転モードや温度設定は記憶部３８に記憶される。
【００２８】
ここで、運転モードが空調モードであれば（Ｓ１２）、制御部３１は、蓋駆動モータ３３を制御して開閉蓋１８を開状態とする。また、制御部３１は、導風板駆動モータ３４を制御して導風板３を運転設定（冷房設定または暖房設定）に応じて所定の状態に配置する。また、制御部３１は、送風機モータ３５を制御して送風ファン１３を回転させ、空調部３２を作動させる（Ｓ１３）。
【００２９】
なお、空調モードの運転設定が冷房であれば、導風板３は図３の（ｂ）の状態に配置され、空調モードの運転設定が暖房であれば、導風板３は図３の（ｃ）の状態に配置される。
【００３０】
空調モードでは、開閉蓋１８が開状態となることにより、図３の（ｂ）あるいは図３の（ｃ）に示すように、空気は、主として第１吸込み口１１から室内機１の内部に吸い込まれる。これは、第１吸込み口１１に配置されている第１フィルタ１５（低性能フィルタ）の通風抵抗が小であり、第２吸込み口１２に配置されている第２フィルタ１６（高性能フィルタ）の通風抵抗が大であることによる。
【００３１】
したがって、室内機１の内部には、第１吸込み口１１から小さい通風抵抗にて十分な量の空気が吸い込まれる。吸い込まれた空気は、送風ファン１３によって熱交換器１４に吹き付けられ、熱交換器１４にて冷やされた後（冷房設定の場合）、あるいは熱交換器１４にて暖められた後（暖房設定の場合）、吹出し口１７から吹き出される。
【００３２】
一方、Ｓ１２において、運転モードが空気清浄モードであれば、制御部３１は、蓋駆動モータ３３を制御して開閉蓋１８を閉状態とする。また、制御部３１は、導風板駆動モータ３４を制御して導風板３を運転設定（冷房設定または暖房設定）に応じて所定の状態に配置する。また、制御部３１は、送風機モータ３５を制御して送風ファン１３を回転させ、空調部３２を作動させる（Ｓ１４）。
【００３３】
空気清浄モードでは、開閉蓋１８が閉状態となることにより、図４の（ａ）あるいは図４の（ｂ）に示すように、空気は、第２吸込み口１２のみから室内機１の内部に吸い込まれる。
【００３４】
したがって、室内機１の内部には、第２フィルタ１６（高性能の例えばＨＥＰＡフィルタ）を経て十分に浄化された空気が吸い込まれる。吸い込まれた空気は、送風ファン１３によって熱交換器１４に吹き付けられ、熱交換器１４にて冷やされあるいは暖められた後、吹出し口１７から吹き出される。
【００３５】
その後、リモコン３７から空気調和機の運転停止が指令されると（Ｓ１５）、制御部３１は、開閉蓋１８を閉状態とし、導風板３を閉状態（吹出し口１７を閉じる状態（図３の（ａ）））に配置させ、送風ファン１３および空調部３２を停止させ（Ｓ１６）、動作を終了する。
【００３６】
なお、本実施形態では、運転モードが空調モードか空気清浄モードかに関わらず空調部３２が動作する構成としている。しかしながら、空調部３２は、運転モードが空調モードの場合のみ動作する構成であってもよい。
【００３７】
（空気調和機の利点）
本実施形態の空気調和機は、運転モードとして空調モードと空気清浄モードとを選択できるようになっているので、空気清浄機能と空気調和機能とのいずれか一方を優先して運転することができる。
【００３８】
したがって、例えば、夏場に高温になった部屋を帰宅して直ぐに冷やしたい、あるいは冬場に低温になった部屋を帰宅して直ぐ温めたいという場合、空調モードを選択すれば、十分な風量によって部屋を迅速に暖めたり、冷やしたりすることができる。
【００３９】
また、部屋が埃っぽい場合など、空気調和機能よりも空気清浄機能を優先したい場合には、空気清浄モードを選択することにより、高い空気清浄機能を発揮することができる。
【００４０】
本実施形態の空気調和機では、開閉蓋１８が設けられる第１吸込み口１１を室内機１の上部に有し、常時開放状態の第２吸込み口１２を下部に有する構成となっているので、空調モード以外の状態において、虫やゴミが第１吸込み口１１から室内機１の内部に入り込む事態を防止することができる。
【００４１】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００４２】
図７の（ａ）は本発明の他の実施形態の空気調和機の室内機５１の空調モードにおける状態を説明する概略の正面図、図７の（ｂ）は図７の（ａ）に示した室内機５１の空気清浄モードにおける状態を説明する概略の正面図である。なお、図７の（ａ）（ｂ）では、簡略化のため、図２に示した吹出し口１７の記載を省略し、熱交換器１４を二点鎖線にて示している。
【００４３】
図７の（ａ）（ｂ）に示す室内機５１は、送風ファン１３、熱交換器１４および吹出し口１７の配置状態が図１に示した室内機１と同じであり、２台の送風ファン１３を内部の左右位置に備え、それら送風ファン１３の前に、１台の熱交換器１４を備えている。なお、２台の送風ファン１３の間にはファンモータ（図示せず）が配置される。
【００４４】
また、室内機５１は、上部の中央位置および下部の中央位置にそれぞれ第１吸込み口１１を有し、上部の左右位置および下部の左右位置にそれぞれ第２吸込み口１２を有している。すなわち、室内機５１は、上部および下部の合計２個所に第１吸込み口１１を有し、上部の２個所および下部の２個所の合計４個所に第２吸込み口１２を有している。
【００４５】
さらに、室内機５１は、各第１吸込み口１１の内側に第１フィルタ１５を有し、各第２吸込み口１２の内側に第２フィルタ１６を有し、各第１吸込み口１１に開閉蓋１８が設けられている。したがって、室内機５１は、第２吸込み口１２と第２フィルタ１６との対の数が、第１吸込み口１１と第１フィルタ１５との対の数よりも多くなっている。
【００４６】
（室内機の動作）
本実施形態の、室内機５１を備えた空気調和機の空調モードおよび空気清浄モードでの動作は、室内機１を備えた空気調和機の場合と同様である。
【００４７】
（空気調和機の利点）
室内機１は、第１吸込み口１１（第１フィルタ１５）および第２吸込み口１２（第２フィルタ１６）がそれぞれ１か所のみに設けられていた。これに対し、室内機５１は、第１吸込み口１１（第１フィルタ１５）が２個所、第２吸込み口１２（第２フィルタ１６）が４個所に設けられている。すなわち、本実施形態の空気調和機の室内機５１は、第２吸込み口１２と第２フィルタ１６との対の数が、第１吸込み口１１と第１フィルタ１５との対の数よりも多くなっている。言い換えると、室内機５１全体としての、第２フィルタ１６が設けられている第２吸込み口１２の開口面積は、第１フィルタ１５が設けられている第１吸込み口１１の開口面積よりも大きくなっている。
【００４８】
したがって、通風抵抗が相対的に大の第２フィルタ１６を経由して空気を吸い込む空気清浄モードであっても、室内機５１全体としての第２吸込み口１２からの空気の吸込み量および吹出し口１７からの空気の吹出し量を大幅に増大させることができる。これにより、高い空気清浄機能を備えることができる。本実施形態の空気調和機の他の利点は、前述した空気調和機と同様である。
【００４９】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００５０】
図８の（ａ）は本発明のさらに他の実施形態の空気調和機の室内機５２の空調モードにおける状態を説明する概略の正面図、図８の（ｂ）は図８の（ａ）に示した室内機５２の空気清浄モードにおける状態を説明する概略の正面図である。なお、図８の（ａ）（ｂ）では、簡略化のため、図２に示した吹出し口１７の記載を省略し、熱交換器１４を二点鎖線にて示している。
【００５１】
図８の（ａ）（ｂ）に示す室内機５２は、図７の（ａ）（ｂ）に示した室内機５１の２台の送風ファン１３および１台の熱交換器１４の組を左右に配置した構成であり、４台の送風ファン１３および２台の熱交換器１４を備えている。
【００５２】
左２台の送風ファン１３と右２台の送風ファン１３との間にはファンモータ（図示せず）が配置される。この場合のファンモータは左右に回転軸を有する両軸モータであり、１個のファンモータにて４個の送風ファン１３を回転させる。なお、上記両軸の１個のファンモータに代えて、一方のみに回転軸を有する片軸のファンモータを２個配置し、１個のファンモータが左側の２個の送風ファン１３を回転させ、他の１個のファンモータが右側の２個の送風ファン１３を回転させるようにしてもよい。あるいは、ファンモータは、左側の２個の送風ファン１３の間、および右側の２個の送風ファン１３の間にそれぞれ配置してもよい。この場合のファンモータは両軸モータである。その他の構成は、図７の（ａ）（ｂ）に示した室内機５１と同様である。
【００５３】
（空気調和機の利点）
本実施形態の室内機５２では、２台の熱交換器１４と４台の送風ファン１３とを備えているので、前述の室内機５１よりも高い熱交換機能を備えるとともに、空気清浄モードにおいて、空気の吹出し量をさらに増大させて、さらに高い空気清浄機能を備えることができる。
【００５４】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００５５】
図９は本実施形態の空気調和機の室内機５３の空調モードにおける状態を説明する概略の正面図である。なお、図９では、簡略化のため、図２に示した吹出し口１７の記載を省略し、熱交換器１４を二点鎖線にて示している。
【００５６】
図９に示す室内機５３は、図８に示した室内機５２と同様、図７の（ａ）（ｂ）に示した室内機５１の２台の送風ファン１３および１台の熱交換器１４の組を左右に配置した構成であり、４台の送風ファン１３および２台の熱交換器１４を備えている。
【００５７】
但し、室内機５２では、開閉蓋１８は、室内機５２の左右方向の中央部の上部および下部に各１個設けられていた。これに対し、本実施形態の室内機５３では、開閉蓋１８は、左側の２個の送風ファン１３の間の上部および下部、並びに右側の２個の送風ファン１３の間の上部および下部に、合計４個設けられている。室内機５３のその他の構成は、室内機５２と同様である。なお、室内機５３におけるファンモータ（図示せず）の配置形態は、室内機５２において説明したファンモータの配置形態と同様、種々の配置形態を採用することができる。
【００５８】
（空気調和機の利点）
本実施形態の室内機５３は、前述した室内機５２と同様の利点を有する。
【００５９】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６０】
本実施形態の空気調和機は、運転モードが空調モードに設定されている場合に、部屋（空調領域）の温度が設定温度に到達すると、運転モードを空調モードから空気清浄モードに切り替える構成となっている。
【００６１】
なお、空気調和機は、空調動作を行う場合、一般に、運転当初は大出力で動作し、室温が設定温度に到達すると（あるいは近づくと）、低出力で動作する。したがって、空調モードから空気清浄モードへの切り替えは、大きな出力変化を伴うことなく、円滑に行うことができる。
【００６２】
（空気調和機の構成）
図１０は、本実施形態の空気調和機の制御装置の構成を示すブロック図である。空気調和機は、例えば前述の室内機１を備えている。なお、室内機５１を備えていてもよい。図１０に示すように、空気調和機は、温度センサ６２および埃センサ（清浄状態センサ）６３を備えている。
【００６３】
温度センサ６２は、室内機１が設置されている部屋（空調領域）の室温を検出する。埃センサ６３は、例えば第１吸込み口１１から吸い込まれた空気の清浄状態（埃の少なさ）を測定する。
【００６４】
（空気調和機の動作）
上記の構成において、本実施形態の空気調和機の動作について以下に説明する。図１１は、空気調和機の動作を示すフローチャートである。なお、図１１におけるＳ１１からＳ１６までの動作は、図６におけるＳ１１からＳ１６までの動作と同じであるので、説明を省略する。
【００６５】
図１１に示すように、制御部３１は、空調モードによる運転開始後（Ｓ１２、Ｓ１３）、温度センサ６２による検出温度（室温）が記憶部３８が記憶している設定温度に到達したかどうか判定する（Ｓ２１）。
【００６６】
Ｓ２１での判定結果がＮＯであればＳ１５の動作へ進む一方、Ｓ２１での判定結果がＹＥＳであれば、制御部３１は、運転モードを空調モードから空気清浄モードへ切り替える（Ｓ１４）。
【００６７】
その後、制御部３１は、運転モードを空調モードから空気清浄モードへ自動的に変更したかどうか（Ｓ２１→Ｓ１４の動作の有無）を判定し（Ｓ２２）、判定結果がＮＯであればＳ１５へ進む。一方、制御部３１は、Ｓ２２での判定結果がＹＥＳであれば、温度センサ６２による検出温度が設定温度に対して所定温度（例えば３℃）以上乖離したかどうか判定する（Ｓ２３）。
【００６８】
制御部３１は、Ｓ２３での判定結果がＮＯであればＳ１５へ進む一方、Ｓ２３での判定結果がＹＥＳであれば、Ｓ１３へ進んで空調モードによる運転制御を行う。すなわち、制御部３１は、運転モードを空気清浄モードから再び空調モードへ切り替える。
【００６９】
（空気調和機の利点）
本実施形態の空気調和機は、運転モードが空調モードである場合に、温度センサ６２が検出する部屋の温度が設定温度に到達すると、運転モードを空調モードから空気清浄モードに切り替える。これにより、運転モードが当初空調モードに設定されている場合であっても、空気調和機が備える空気清浄機能を有効に活用することができる。
【００７０】
また、空気調和機は、運転モードを空調モードから空気清浄モードに自動的に切り替えた場合に、温度センサ６２による検出温度が設定温度に対して所定温度以上乖離すると、再び運転モードを空気清浄モードから空調モードからに切り替え、空調モードによる運転を行う。これにより、空調機能および空気清浄機能の両機能をバランスよく発揮することができる。本実施形態の空気調和機の他の利点は、前述した空気調和機と同様である。
【００７１】
〔実施形態５〕
本発明のさらに他の実施形態を図面に基づいて以下に説明する。なお、説明の便宜上、前記実施形態にて説明した部材と同じ機能を有する部材については、同じ符号を付記し、その説明を省略する。
【００７２】
本実施形態の空気調和機は、運転モードが空調モードに設定されている場合に、部屋（空調領域）の空気の清浄状態が基準未満であると、運転モードを空調モードから空気清浄モードに切り替える構成となっている。本実施形態の空気調和機は、前述の図１０に示した制御装置を備えている。
【００７３】
（空気調和機の動作）
上記の構成において、本実施形態の空気調和機の動作について以下に説明する。図１２は、空気調和機の動作を示すフローチャートである。なお、図１２におけるＳ１１からＳ１６までの動作は、図６におけるＳ１１からＳ１６までの動作と同じであるので、説明を省略する。
【００７４】
図１２に示すように、制御部３１は、空調モードによる運転開始後（Ｓ１２、Ｓ１３）、埃センサ６３が検出する部屋の空気の清浄状態が基準未満かとうか判定する（Ｓ３１）。なお、清浄状態の基準とは、例えばこの基準を下回った場合に空気清浄動作を行う必要があるとする指標値であり、例えば記憶部３８が記憶している。
【００７５】
Ｓ３１での判定結果がＮＯであればＳ１５の動作へ進む一方、Ｓ３１での判定結果がＹＥＳであれば、制御部３１は、運転モードを空調モードから空気清浄モードへ切り替える（Ｓ１４）。
【００７６】
その後、制御部３１は、運転モードを空調モードから空気清浄モードへ自動的に変更したかどうか（Ｓ３１→Ｓ１４の動作の有無）を判定し（Ｓ３２）、判定結果がＮＯであればＳ１５へ進む。一方、制御部３１は、Ｓ３２での判定結果がＹＥＳであれば、埃センサ６３が検出する部屋の空気の清浄状態が基準以上かとうか判定する（Ｓ３３）。
【００７７】
制御部３１は、Ｓ３３での判定結果がＮＯであればＳ１５へ進む一方、Ｓ３３での判定結果がＹＥＳであれば、Ｓ１３へ進んで空調モードによる運転制御を行う。すなわち、制御部３１は、運転モードを空気清浄モードから再び空調モードへ切り替える。
【００７８】
（空気調和機の利点）
本実施形態の空気調和機は、運転モードが空調モードである場合に、埃センサ６３が検出する部屋の空気の清浄状態が基準未満（部屋の空気の汚れが大きい状態）であると、運転モードを空調モードから空気清浄モードに切り替える。これにより、運転モードが当初空調モードに設定されている場合であっても、空気調和機が備える空気清浄機能を有効に活用することができる。
【００７９】
また、空気調和機は、運転モードを空調モードから空気清浄モードに自動的に切り替えた場合に、埃センサ６３が検出する部屋の空気の清浄状態が基準以上になると、再び運転モードを空気清浄モードから空調モードからに切り替え、空調モードによる運転を行う。これにより、空調機能および空気清浄機能の両機能をバランスよく発揮することができる。本実施形態の空気調和機の他の利点は、前述した空気調和機と同様である。
【００８０】
〔実施形態６〕
本発明のさらに他の実施形態を図面に基づいて以下に説明する。なお、説明の便宜上、前記実施形態にて説明した部材と同じ機能を有する部材については、同じ符号を付記し、その説明を省略する。
【００８１】
本実施形態の空気調和機は、運転モードが空調モードに設定されている場合に、部屋（空調領域）の温度が設定温度に到達し、かつ部屋（空調領域）の空気の清浄状態が基準未満である場合に、運転モードを空調モードから空気清浄モードに切り替える構成となっている。本実施形態の空気調和機は、前述の図１０に示した制御装置を備えている。
【００８２】
（室内機６３の動作）
上記の構成において、空気調和機の動作について以下に説明する。図１３は、空気調和機の動作を示すフローチャートである。なお、図１３におけるＳ１１からＳ１６までの動作は、図６におけるＳ１１からＳ１６までの動作と同じであるので、説明を省略する。また、Ｓ２１の動作は図１１のＳ２１の動作と同じであり、Ｓ３１〜Ｓ３３までの動作は、図１２のＳ３１〜Ｓ３３までの動作と同じである。
【００８３】
図１３に示すように、制御部３１は、空調モードによる運転開始後（Ｓ１２、Ｓ１３）、温度センサ６２による検出温度（室温）が記憶部３８が記憶している設定温度に到達したかどうか判定する（Ｓ２１）。
【００８４】
制御部３１は、Ｓ２１での判定結果がＮＯであればＳ１５の動作へ進む一方、Ｓ２１での判定結果がＹＥＳであれば、さらに、埃センサ６３が検出する部屋の空気の清浄状態が基準未満かとうか判定する（Ｓ３１）。
【００８５】
制御部３１は、Ｓ３１での判定結果がＮＯであればＳ１５の動作へ進む一方、Ｓ３１での判定結果がＹＥＳであれば、運転モードを空調モードから空気清浄モードへ切り替える（Ｓ１４）。図１３のその他の動作は、図１２の動作と同様である。
【００８６】
（空気調和機の利点）
本実施形態の空気調和機は、運転モードが空調モードである場合に、温度センサ６２による検出温度（室温）が記憶部３８が記憶している設定温度に到達し、かつ埃センサ６３が検出する部屋の空気の清浄状態が基準未満（部屋の空気の汚れが大きい状態）であると、運転モードを空調モードから空気清浄モードに切り替える。これにより、室温がユーザが設定した設定温度からかけ離れた状態にて運転モードが空調モードから空気清浄モードに切り替わる事態を防止しながら、空気調和機が備える空気清浄機能を有効に活用することができる。
【００８７】
また、空気調和機は、運転モードを空調モードから空気清浄モードに自動的に切り替えた場合に、埃センサ６３が検出する部屋の空気の清浄状態が基準以上になると、再び運転モードを空気清浄モードから空調モードからに切り替え、空調モードによる運転を行う。これにより、空調機能および空気清浄機能の両機能をバランスよく発揮することができる。本実施形態の空気調和機の他の利点は、前述した空気調和機と同様である。
【００８８】
〔ソフトウェアによる実現例〕
空気調和機の制御部３１は、集積回路（ＩＣチップ）等に形成された論理回路（ハードウェア）によって実現してもよいし、ソフトウェアによって実現してもよい。
【００８９】
後者の場合、空気調和機は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９０】
〔まとめ〕
本発明の態様１に係る空気調和機は、運転モードとして、空気の温度を設定温度にする空調モード、および空気を浄化する空気清浄モードによる動作を行う空気調和機であって、室内機に、空気の第１および第２吸込み口１１，１２と、空気の吹出し口１７と、前記第１吸込み口１１から吸い込まれた空気の流路に設けられた第１フィルタ１５と、前記第２吸込み口１２から吸い込まれた空気の流路に設けられ、通風抵抗が前記第１フィルタ１５よりも大きい第２フィルタ１６と、前記第１吸込み口１１を開閉する開閉部材（開閉蓋１８）と、前記開閉部材の駆動部（蓋駆動モータ３３）と、前記空調モードでは前記開閉部材を開状態とし、前記空気清浄モードでは前記開閉部材を閉状態とするように、前記駆動部を制御する開閉部材制御部（制御部３１）とを備えている。
【００９１】
上記の構成によれば、運転モードが空調モードである場合、第１吸込み口１１の開閉部材が開状態となる。したがって、空気は、主として第１吸込み口１１から吸い込まれ、相対的に通風抵抗が小さい第１フィルタ１５を経由し、設定温度となるように、冷やされあるいは暖められた後、吹出し口１７から吹き出される。
【００９２】
これにより、例えば、夏場に高温になった部屋を帰宅して直ぐに冷やしたい、あるいは冬場に低温になった部屋を帰宅して直ぐ温めたいという場合、空調モードを選択することにより、十分な風量によって部屋を迅速に暖めたり、冷やしたりすることができる。
【００９３】
また、運転モードが空気清浄モードである場合、第１吸込み口１１の開閉部材が閉状態となる。したがって、空気は第２吸込み口１２のみから吸い込まれ、相対的に通風抵抗が大きい第２フィルタ１６を経由し、第２フィルタ１６にて浄化された後、吹出し口１７から吹き出される。
【００９４】
ここで、相対的に通風抵抗が大きい第２フィルタ１６（例えばＨＥＰＡフィルタ）は、相対的に通風抵抗が小さい第１フィルタ１５（例えばプレフィルタ）よりも高性能である。これにより、部屋が埃っぽい場合など、空気調和機能よりも空気清浄機能を優先したい場合には、空気清浄モードを選択することにより、通風抵抗が相対的に大きい第２フィルタ１６を使用して、高い空気清浄機能を発揮することができる。
【００９５】
上記のように、空気調和機は、空気清浄機能と空気調和機能とのいずれか一方を優先して運転することができる。
【００９６】
本発明の態様２に係る空気調和機は、上記態様１において、室内機全体としての、前記第２フィルタ１６が設けられている前記第２吸込み口１２の開口面積は、前記第１フィルタ１５が設けられている前記第１吸込み口１１の開口面積よりも大きくなっている構成としてもよい。
【００９７】
上記の構成によれば、通風抵抗が相対的に大の第２フィルタ１６を経由して空気を吸い込む空気清浄モードであっても、室内機全体としての第１吸込み口１１からの空気の吸込み量および吹出し口１７からの空気の吹出し量を増大させることができる。これにより、高い空気清浄機能を備えることができる。
【００９８】
本発明の態様３に係る空気調和機は、上記態様１または２において、前記空調モードによる空調領域の空気の温度を検出する温度センサ６２と、前記空調領域の設定温度を記憶する記憶部３８と、前記運転モードが前記空調モードであり、前記温度センサ６２による検出温度が前記設定温度に到達した場合に、前記運転モードを前記空調モードから前記空気清浄モードに切り替える運転制御部（制御部３１）とを備えている構成としてもよい。
【００９９】
上記の構成によれば、運転制御部は、運転モードが空調モードであり、温度センサ６２による検出温度が記憶部３８が記憶する設定温度に到達した場合に、運転モードを空調モードから空気清浄モードに切り替える。これにより、運転モードが当初空調モードに設定されている場合であっても、空気調和機が備える空気清浄機能を有効に活用することができる。
【０１００】
本発明の態様４に係る空気調和機は、上記態様３において、前記運転制御部（制御部３１）は、前記運転モードを前記空調モードから前記空気清浄モードに切り替えた後に、前記温度センサ６２による検出温度が前記設定温度から所定温度以上乖離した場合に、前記運転モードを前記空調モードに戻す構成としてもよい。
【０１０１】
上記の構成によれば、運転制御部は、運転モードを空調モードから空気清浄モードに切り替えた後に、温度センサ６２による検出温度が記憶部３８が記憶する設定温度から所定温度以上乖離した場合に、運転モードを空調モードに戻す。これにより、空気調和機は、空調機能および空気清浄機能の両機能をバランスよく発揮することができる。
【０１０２】
本発明の態様５に係る空気調和機は、上記態様１から３のいずれか１態様において、前記空調モードによる空調領域の空気の清浄状態を検出する清浄状態センサ（埃センサ６３）と、前記運転モードが前記空調モードであり、前記清浄状態センサが検出する前記清浄状態が基準未満である場合に、前記運転モードを前記空調モードから前記空気清浄モードに切り替える運転制御部（制御部３１）を備えている構成としてもよい。
【０１０３】
上記の構成によれば、運転制御部は、運転モードが空調モードであり、清浄状態センサが検出する、空調モードによる空調領域の空気の清浄状態が基準未満である場合に、運転モードを空調モードから空気清浄モードに切り替える。これにより、運転モードが当初空調モードに設定されている場合であっても、空気調和機が備える空気清浄機能を有効に活用することができる。
【０１０４】
本発明の態様６に係る空気調和機は、上記態様１から３のいずれか１態様において、前記空調モードによる空調領域の空気の温度を検出する温度センサ６２と、前記空調領域の設定温度を記憶する記憶部３８と、前記空調領域の空気の清浄状態を検出する清浄状態センサ（埃センサ６３）と、前記運転モードが前記空調モードであり、前記温度センサ６２による検出温度が前記設定温度に到達し、かつ前記清浄状態センサが検出する前記清浄状態が基準未満である場合に、前記運転モードを前記空調モードから前記空気清浄モードに切り替える運転制御部（制御部３１）を備えている構成としてもよい。
【０１０５】
上記の構成によれば、運転制御部は、運転モードが空調モードであり、温度センサ６２による検出温度が記憶部３８が記憶する設定温度に到達し、かつ清浄状態センサが検出する清浄状態が基準未満である場合に、運転モードを空調モードから空気清浄モードに切り替える。これにより、空調領域の温度がユーザが設定した設定温度からかけ離れた状態にて運転モードが空調モードから空気清浄モードに切り替わる事態を防止しながら、空気調和機が備える空気清浄機能を有効に活用することができる。
【０１０６】
本発明の態様７に係る空気調和機は、上記態様５または６において、前記運転制御部（制御部３１）は、前記運転モードを前記空調モードから前記空気清浄モードに切り替えた後に、前記清浄状態センサ（埃センサ６３）が検出する前記清浄状態が基準以上となった場合に、前記運転モードを前記空調モードに戻す構成としてもよい。
【０１０７】
上記の構成によれば、運転制御部は、運転モードを空調モードから空気清浄モードに切り替えた後に、清浄状態センサが検出する記清浄状態が基準以上となった場合に、運転モードを空調モードに戻す。これにより、空気調和機は、空調機能および空気清浄機能の両機能をバランスよく発揮することができる。
【０１０８】
本発明の各態様に係る制御部３１（開閉部材制御部、運転制御部）は、コンピュータによって実現してもよく、この場合には、コンピュータを上記空気調和機が備える各部（ソフトウェア要素）として動作させることにより上記空気調和機をコンピュータにて実現させる空気調和機のプログラム、およびそれを記録したコンピュータ読み取り可能な記録媒体も、本発明の範疇に入る。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１０】
１，５１，５２，５３    室内機
２    室内機本体部
３    導風板
４    室外機
１１    第１吸込み口
１２    第２吸込み口
１３    送風ファン
１４    熱交換器
１５    第１フィルタ
１６    第２フィルタ
１７    吹出し口
１８    開閉蓋
３１    制御部（開閉部材制御部、運転制御部）
３２    空調部
３３    蓋駆動モータ（駆動部）
３４    導風板駆動モータ
３５    送風機モータ
３６    受信部
３７    リモートコントローラ
３８    記憶部
６２    温度センサ
６３    埃センサ（清浄状態センサ）
【図１】
2019043985.tif 000003
【図２】
2019043985.tif 000004
【図３】
2019043985.tif 000005
【図４】
2019043985.tif 000006
【図５】
2019043985.tif 000007
【図６】
2019043985.tif 000008
【図７】
2019043985.tif 000009
【図８】
2019043985.tif 000010
【図９】
2019043985.tif 000011
【図１０】
2019043985.tif 000012
【図１１】
2019043985.tif 000013
【図１２】
2019043985.tif 000014
【図１３】
2019043985.tif 000015
【国際調査報告】
2019043985.tif 000016
2019043985.tif 000017
2019043985.tif 000018
2019043985.tif 000019